(57)【要約】【課題】紙葉類識別装置において、ジャムの発生を抑制する。【解決手段】識別部５は、紙葉類（紙幣Ｂ）の厚み方向に対応する対向方向Ａ２に所定の間隔Ｄ１を空けて対向配置されかつ、その間に搬送路５１を形成する一対の検出部６，７を備える。検出部６，７は、それぞれ、台板と、台板に接合されたセンサユニットとを有する。台板とセンサユニットとの接合部分Ｐ１，Ｐ２は、双方とも、第１の凹凸部と第２の凹凸部とが相互に嵌まり込むことによって構成される。第１の凹凸部、及び、第２の凹凸部には、それぞれ、搬送路５１から離れる方向に傾斜した面取部が設けられており、上下２箇所の接合部分Ｐ１，Ｐ２は、搬送路５１を挟んで対向しないように、搬送方向Ａ１の位置が上下で異なっている。【選択図】図４Ａ
2018120356.tif 000002
【特許請求の範囲】
【請求項１】
搬送路に沿って搬送される紙葉類の特徴を検出して識別する紙葉類識別装置であって、
前記搬送路を構成する一対の台板と、
前記各台板に接合されて対向配置された一対のセンサユニットと、を備え、
前記台板と前記センサユニットとの接合部分には、互いに嵌合する凹凸部が設けられていると共に、前記各凹凸部の先端部分には、前記搬送路から遠ざかるよう傾斜した面取部が形成され、
前記台板と前記センサユニットとの接合部分が前記搬送路を挟んで対向しないように搬送方向の位置が異なっている、
紙葉類識別装置。
【請求項２】
前記接合部分の前記搬送方向の位置は、前記面取部の前記搬送方向に沿った寸法以上にずれている
請求項１に記載の紙葉類識別装置。
【請求項３】
搬送路に沿って搬送される紙葉類の特徴を検出して識別する紙葉類識別装置であって、
前記搬送路を構成する一対の台板と、
前記各台板に接合されて対向配置された一対のセンサユニットと、を備え、
前記台板と前記センサユニットとの接合部分には、互いに嵌合する凹凸部が設けられていると共に、前記各凹凸部の先端部分には、前記搬送路から遠ざかるよう傾斜した面取部が形成され、
前記台板と前記センサユニットとの接合部分が前記搬送路を挟んで対向しないように搬送幅方向の位置が異なっている、
紙葉類識別装置。
【請求項４】
前記各凹凸部の凹凸は、前記搬送幅方向に沿って等ピッチで並んでおり、
前記接合部分の前記搬送幅方向の位置は、前記搬送幅方向に沿って前記ピッチの半分だけずれている、
請求項３に記載の紙葉類識別装置。
【請求項５】
前記接合部分は、前記搬送路を挟んで対向しないように搬送方向の位置も異なっている
請求項３又は４に記載の紙葉類識別装置。
【請求項６】
前記凹凸部には、他の凹部よりも寸法が大きく形成されたローラ用凹部が含まれ、
前記ローラ用凹部には、前記紙葉類の搬送ローラが配置されている、
請求項１〜５のいずれか１項に記載の紙葉類識別装置。
【請求項７】
請求項１〜６のいずれか１項に記載の紙葉類識別装置を備えた紙葉類処理装置。
【発明の詳細な説明】
【技術分野】
【０００１】
ここに開示する技術は、紙葉類識別装置、及び、紙葉類処理装置に関する。
【背景技術】
【０００２】
特許文献１には、紙葉類識別装置の一例が開示されている。具体的に、この特許文献１には、搬送路を形成する台板と、その台板に接合されたセンサユニット（ラインセンサ）とを備えた装置が開示されている。
【０００３】
また、特許文献２には、そうした接合構造の別例として、台板（ステージ）に凹部を設けると共に、その凹部にセンサユニット（磁気センサ）を嵌合させることが開示されている。
【０００４】
特許文献３には、カード類の搬送路の一例として、２つの台板（ロアーケース）を嵌合させた構成が開示されている。具体的に、この特許文献３において、一方の台板には、搬送方向に凹凸する第１の凹凸部（歯）が設けられていると共に、他方の台板には、搬送方向に凹凸すると共に、第１の凹凸部に対して相互に嵌り込むように形成された第２の凹凸部（歯）が設けられている。さらに、この特許文献３には、第１の凹凸部、及び、第２の凹凸部において、先端側へ向かうにつれて、搬送路から遠ざかるよう傾斜した面取部（退避面）を形成することも開示されている。そうした面取部によって、搬送されるカード類の“掬い”が構成されて、カード類の引っ掛かりを防止することが可能になる。
【０００５】
また、特許文献４には、台板（原稿ガイド）に対し、搬送方向に凹凸する第１の凹凸部を設けること、及び、その台板に接合するよう構成されたセンサユニット（透過板）に対し、搬送方向に凹凸しかつ、第１の凹凸部に対して相互に嵌まり込むように形成された第２の凹凸部（切り欠き部）を設けることが開示されている。さらに、この特許文献４には、第２の凹凸部において、先端側へ向かうにつれて、搬送路から遠ざかるよう傾斜した面取部（面取り部）を設けることも開示されている。
【０００６】
特許文献５には、センサ装置の一例として、２つの検出部（検出ユニット）によって搬送路（紙幣搬送路）を形成することが開示されている。具体的に、この特許文献５には、搬送される紙葉類（紙幣）の厚み方向に対応する対向方向（ｚ方向）に所定の間隔を空けて対向配置されかつ、その間に搬送路を形成する一対の検出部が開示されている。
【先行技術文献】
【特許文献】
【０００７】
【特許文献１】国際公開第２００８／１４９４７２号
【特許文献２】特許第４３８５６３６号公報
【特許文献３】特開２０００−３１８８７３号公報
【特許文献４】国際公開第２００３／０８４２１０号
【特許文献５】特許第５６８３８９２号公報
【発明の概要】
【発明が解決しようとする課題】
【０００８】
従来、紙葉類識別装置において、前記特許文献１〜５に示されるように、台板とセンサユニットとを接合させた部材に沿って紙葉類を搬送するときに、台板とセンサユニットとの接合部分に凹凸部を設けると共に、その凹凸部の先端部分に面取部を形成することが考えられてきた。面取部を形成することにより、台板とセンサユニットとの接合部分に掬いが構成されるから、搬送される紙葉類を識別しつつ、その紙葉類の詰まりを防止することが可能になる。
【０００９】
図５に、従来構成に係る紙葉類識別装置１００１の縦断面を示す。図５に示すように、搬送路１０５１を挟んだ下側には、台板とセンサユニットとが符号Ｐ１において接合した下側検出部１００６が構成される一方、その上側には、台板とセンサユニットとが符号Ｐ２において接合した上側検出部１００７が構成されるようになっている。上下２箇所の接合部分Ｐ１，Ｐ２には、それぞれ、掬い部１０６４，１０７４が構成されている。ここで、例えば上下の部品を共通にした結果、上下の接合部分Ｐ１，Ｐ２の位置が、搬送方向Ａ１、及び、搬送幅方向において一致することがある。接合部分Ｐ１，Ｐ２の位置が上下で一致すると、それに伴い、各接合部分Ｐ１，Ｐ２に対応する掬い部１０６４，１０７４の位置も上下で一致することになる。
【００１０】
そのため、下側の掬い部１０６４と、上側の掬い部１０７４とが一体的なスペースＳを区画してしまい、不都合を招くことに、本願発明者等は気付いた。
【００１１】
すなわち、そのようなスペースＳは、図５に概念的に示すように、対向方向Ａ２において、搬送路１０５１を挟んで上下に大きく膨らむことになる。その結果、図５に２点鎖線で示すように、先端が折れていたり、いわゆるゴワ券、又はヨレ券といった特定の紙幣Ｂが、そのスペースＳにおいて先端が少し引っ掛かった場合に大きなスペースＳが在るがために自由に変形してしまい、ジャムに至る虞がある、ということを本願発明者等は見出した。
【００１２】
ここに開示する技術は、かかる点に鑑みてなされたものであり、その目的とするところは、紙葉類識別装置において、ジャムの発生を抑制することにある。
【課題を解決するための手段】
【００１３】
ここに開示する技術は、搬送路に沿って搬送される紙葉類の特徴を検出して識別する紙葉類識別装置に係る。この装置は、前記搬送路を構成する一対の台板と、前記各台板に接合されて対向配置された一対のセンサユニットと、を備え、前記台板と前記センサユニットとの接合部分には、互いに嵌合する凹凸部が設けられていると共に、前記各凹凸部の先端部分には、前記搬送路から遠ざかるよう傾斜した面取部が形成される。
【００１４】
そして、前記台板と前記センサユニットとの接合部分が前記搬送路を挟んで対向しないように搬送方向の位置が異なっている。
【００１５】
この構成によると、各凹凸部の先端部分に形成された面取部によって、台板とセンサユニットとの接合部分に掬いが構成される。そうした掬いによって、紙葉類の詰まりを防止することが可能になる。
【００１６】
ここで、２つの接合部分は、搬送路を挟んで対向しないように、搬送方向の位置が異なっている。そうすることで、各接合部分において構成される掬いの位置が、搬送方向にずれるようになるから、２つの掬いは、一体的なスペースを区画することなく、それぞれが独立したスペースを区画するようになる。これにより、スペース１つあたりの容積が小さくなるから、特定の紙葉類のジャムの発生も抑制することが可能になる。
【００１７】
また、前記接合部分の前記搬送方向の位置は、前記面取部の前記搬送方向に沿った寸法以上にずれている、としてもよい。
【００１８】
この構成によると、一方の掬いと、他方の掬いとが搬送方向において重ならないようになるため、それぞれが独立したスペースを区画する上で有利になる。このことは、ジャムの発生を抑制する上で有効である。
【００１９】
ここに開示する別の技術は、搬送路に沿って搬送される紙葉類の特徴を検出して識別する紙葉類識別装置に係る。この装置は、前記搬送路を構成する一対の台板と、前記各台板に接合されて対向配置された一対のセンサユニットと、を備え、前記台板と前記センサユニットとの接合部分には、互いに嵌合する凹凸部が設けられていると共に、前記各凹凸部の先端部分には、前記搬送路から遠ざかるよう傾斜した面取部が形成される。
【００２０】
そして、前記台板と前記センサユニットとの接合部分が前記搬送路を挟んで対向しないように搬送幅方向の位置が異なっている。
【００２１】
この構成によると、各凹凸部の先端部分に形成された面取部によって、台板とセンサユニットとの接合部分に掬いが構成される。そうした掬いによって、紙葉類の詰まりを防止することが可能になる。
【００２２】
ここで、２つの接合部分は、搬送路を挟んで対向しないように、搬送幅方向の位置が異なっている。そうすることで、各接合部分において構成される掬いの位置が、搬送幅方向にずれるようになるから、２つの掬いは、一体的なスペースを区画することなく、それぞれが独立したスペースを区画するようになる。これにより、スペース１つあたりの容積が小さくなるから、特定の紙葉類のジャムの発生も抑制することが可能になる。
【００２３】
また、前記各凹凸部の凹凸は、前記搬送幅方向に沿って等ピッチで並んでおり、前記接合部分の前記搬送幅方向の位置は、前記搬送幅方向に沿って前記ピッチの半分だけずれている、としてもよい。
【００２４】
この構成によると、一方の掬いと、他方の掬いとが搬送幅方向において重ならないようになるため、それぞれが独立したスペースを区画する上で有利になる。このことは、ジャムの発生を抑制する上で有効である。
【００２５】
さらに、前記接合部分は、前記搬送路を挟んで対向しないように搬送方向の位置も異なっている、としてもよい。
【００２６】
この構成によると、各接合部分において構成される掬いの位置が、搬送幅方向と搬送方向とにずれるようになる。そうすることで、一方の掬いと、他方の掬いとが、それぞれ、独立したスペースを区画する上で有利になる。このことは、ジャムの発生を抑制する上で有効である。
【００２７】
また、前記凹凸部には、他の凹部よりも寸法が大きく形成されたローラ用凹部が含まれ、前記ローラ用凹部には、前記紙葉類の搬送ローラが配置されている、としてもよい。
【００２８】
従来、搬送ローラを配置する際には、その搬送ローラを受け入れるための開口部を台板に形成するようにしていた。しかし、そのような開口部を形成した場合、紙葉類が、その開口部において詰まらないようにするべく、台板とセンサユニットとの間の接合部分と同様に、開口部の縁部に面取りを施して、掬いを構成するようにしていた。
【００２９】
前記の構成によると、ローラ用凹部に搬送ローラを配置するようにしたから、台板に開口部を形成する必要が無くなる。これにより、掬いの数を減らすことが可能になって、ひいては紙葉類をスムースに搬送する上で有利になる。
【００３０】
また、ここに開示する別の技術は、紙葉類処理装置に係る。この装置は、前記の紙葉類識別装置を備える。
【００３１】
この構成によると、ジャムの発生を抑制することが可能になる。
【発明の効果】
【００３２】
以上説明したように、前記の紙葉類識別装置によると、ジャムの発生を抑制することが可能になる。
【図面の簡単な説明】
【００３３】
【図１】紙幣処置装置の概略構成図である。
【図２Ａ】識別部（開状態）の外観を示す斜視図である。
【図２Ｂ】識別部（閉状態）の外観を示す斜視図である。
【図３】識別部を拡大して示す斜視図である。
【図４Ａ】識別部を概略的に示す縦断面図である。
【図４Ｂ】識別部を概略的に示す縦断面図である。
【図５】識別部の従来構成を概略的に示す縦断面図である。
【図６】識別部の変形例を示す斜視図である。
【図７Ａ】識別部の変形例を示す斜視図である。
【図７Ｂ】識別部の変形例を概略的に示す縦断面図である。
【図７Ｃ】識別部の変形例を概略的に縦断面図である。
【図８】オプションユニット（開状態）の外観を示す斜視図である。
【図９】第１ユニットの凹凸部を示す図である。
【図１０】凹凸部の変形例を示す図９対応図である。
【発明を実施するための形態】
【００３４】
以下、実施形態を図面に基づいて詳細に説明する。尚、以下の説明は例示である。
【００３５】
〈貨幣処理装置の概略構成〉
図１は、紙幣処理装置１内部の概略構成を示している。紙幣処理装置１は、「紙葉類処理装置」の例示であり、紙葉類としての紙幣を処理するよう構成されている。この紙幣処理装置１は、例えば銀行のテラーカウンターに設置されて使用される。
【００３６】
具体的に、紙幣処理装置１は、投入口２１１に投入された紙幣を収納部３に収納する入金処理、及び、収納部３に収納している紙幣を出金口２３１へ払い出す出金処理を少なくとも実行する。この紙幣処理装置１は、いわゆる循環式の入出金機であり、出金処理時に払い出す紙幣には、入金時に収納部３に収納した紙幣が含まれる。
【００３７】
紙幣処理装置１は、図１に示すように、上側の処理部１１と、下側の金庫部１３とに大別される。処理部１１を構成する筐体１１１内には、投入口２１１を有する入金部２１と、出金口２３１を有する出金部２３と、紙幣の識別を行う識別部５と、入金部２１、出金部２３及び識別部５を相互に連結するループ搬送路４１１と、が配設されている。
【００３８】
一方、金庫部１３を構成する筐体１３１内には、複数の（図例では８個の）巻き取り方式の収納モジュール３１を含んで構成された収納部３と、ループ搬送路４１１及び各収納モジュール３１を互いに接続する搬送路４３１と、が配設されている。
【００３９】
識別部５は、ループ搬送路４１１に配設されており、そのループ搬送路４１１に沿って搬送される各紙幣の真偽、金種、及び、正損等を識別するように構成されている。具体的に、識別部５は、種々のセンサを有しており、紙幣が識別部５を通過する際に、その紙幣の特徴を検出する。識別部５は、検出した紙幣の特徴が、記憶している各種紙幣の特徴と一致するかを判定し、金種、真偽、及び、正損等を識別する。識別部５は、「紙葉類識別装置」の例示である。
【００４０】
また、この識別部５には、紙幣の識別機能を備えたオプションユニット８が、付加的に装着されている。このオプションユニット８は、識別部５の直下流側に接続されており、識別部５を通過した紙幣に対し、さらに別の識別を実行する。本実施形態では、ループ搬送路４１１には、２つのオプションユニット８Ａ，８Ｂが、紙幣の搬送方向（図１において、ループ搬送路４１１に沿って延びる矢印の方向）Ａ１に沿って直列に接続されている。
【００４１】
〈識別部の構成〉
以下、識別部５の構成について、図２Ａ，２Ｂ、図３、及び、図４Ａ，４Ｂを用いて詳細に説明する。
【００４２】
識別部５は、ループ搬送路４１１に介設される搬送路５１を形成していると共に、その搬送路５１に沿って搬送される紙幣Ｂの表裏両面の特徴を検出するよう構成されている。
【００４３】
具体的に、識別部５は、上下一対の検出部６，７を備えている。図２Ａ，２Ｂに示すように、検出部６，７は、それぞれ直方体形状に形成されており、搬送方向Ａ１に直角な方向（後述の搬送幅方向Ａ３）に延びる支軸５２を介して回転可能に連結されている。検出部６，７の一方が他方に対して回転することにより、識別部５が開閉する。
【００４４】
識別部５が閉じているとき、一対の検出部６，７は、搬送される紙幣の厚み方向に対応する、紙幣の搬送方向Ａ１に垂直な対向方向Ａ２に所定の間隔Ｄ１を空けて（図４Ａを参照）対向配置される。そのように対向配置されたとき、一対の検出部６，７の間に、前述の搬送路５１が形成される。この搬送路５１は、図２Ｂに２点鎖線で示すように、紙幣Ｂが、その長手の縁を横にして、水平方向に沿って寝かせた状態で通過するように構成されている。
【００４５】
ここで、一対の検出部６，７のうち、下方に位置する検出部（以下、「下側検出部」という）６は、搬送路５１を構成する台板６１と、その台板６１に対して搬送方向Ａ１に隣り合って配置されかつ、台板６１に接合されたセンサユニット６２と、紙幣を搬送するための搬送ローラ６３と、を有している。
【００４６】
台板６１は、対向方向Ａ２に肉厚な直方体形状に形成されており、その長手方向は、搬送される紙幣Ｂの幅方向に対応する、前述の搬送方向Ａ１と対向方向Ａ２とに垂直な搬送幅方向Ａ３に沿って延びている。図２Ａ，２Ｂに示すように、台板６１の上面６１１は、識別部５を通過する紙幣Ｂの表面、又は、裏面に対して向い合うように配置されており、前述の搬送路５１を区画している。この上面６１１には、上方に向かって開口した開口部６１２が形成されており、センサユニット６２は、その開口部６１２に嵌め込まれて固定されている。
【００４７】
ここで、台板６１とセンサユニット６２との接合部分Ｐ１には、互いに嵌合し且つ、紙幣Ｂの搬送方向Ａ１に凹凸する凹凸部６１３，６２３が設けられていると共に、各凹凸部６１３，６２３の先端部分には、対向方向Ａ２において搬送路５１から遠ざかるよう傾斜した面取部６１４，６２４が形成されている。
【００４８】
以下、下側検出部６の接合部分Ｐ１に関する構成を中心に説明する。
【００４９】
図３に示すように、開口部６１２は、搬送幅方向Ａ３に延びる矩形状に形成されている。開口部６１２の開口縁のうち長手側の２つの長辺縁には、それぞれ、搬送方向Ａ１に凹凸する第１の凹凸部６１３が設けられている。
【００５０】
第１の凹凸部６１３は、略くし状に凹凸しており、センサユニット６２との接合部分Ｐ１を構成している。具体的に、第１の凹凸部６１３は、センサユニット６２と嵌合している複数の嵌合用凹部６１３ａと、搬送ローラ６３が配置される複数のローラ用凹部６１３ｂとを有している。
【００５１】
複数の嵌合用凹部６１３ａを成す凹凸は、搬送幅方向Ａ３に沿ってほぼ等ピッチで並んでおり、それぞれ、搬送方向Ａ１に沿って、センサユニット６２から離れる方向に凹陥している。よって、開口部６１２の開口縁のうち、長手側の一方の長辺縁に設けられた嵌合用凹部６１３ａと、他方の長辺縁に設けられた嵌合用凹部６１３ａとは、互いに反対方向に凹陥するようになっている。
【００５２】
複数のローラ用凹部６１３ｂは、それぞれ、嵌合用凹部６１３ａよりも、搬送方向Ａ１の寸法と、搬送幅方向Ａ３の寸法とが双方とも大きく形成されている（図３を参照）。複数のローラ用凹部６１３ｂもまた、それぞれ、センサユニット６２から離れる方向に凹陥している。
【００５３】
図４Ａは、識別部５の縦断面Ｃ１（図２Ｂを参照）を搬送幅方向Ａ３の一方側から見て示す拡大図であり、図４Ｂは、識別部５の縦断面Ｃ２を搬送幅方向Ａ３の一方側から見て示す拡大図である。
【００５４】
また、図４Ａ，４Ｂに示すように、第１の凹凸部６１３には、その凹凸の先端側つまり、センサユニット６２（特にセンサ本体６２２）側へ向かうにつれて、対向方向Ａ２において、搬送路５１から離れる方向に傾斜した面取部６１４が設けられている。
【００５５】
センサユニット６２は、前述の開口部６１２に嵌め込まれた取付台６２１と、取付台６２１の上面に取り付けられたセンサ本体６２２と、を有している。図２Ａ，２Ｂに示すように、取付台６２１の上面は、識別部５を通過する紙幣Ｂの表面、又は、裏面に対して向い合うようになっており、前述の搬送路５１を区画している。センサ本体６２２は、その上面に嵌め込まれて固定されている。
【００５６】
図３に示すように、取付台６２１は、搬送幅方向Ａ３に延びる矩形状に形成されている。取付台６２１の周縁部のうち、長手側の２つの長辺縁には、それぞれ、搬送方向Ａ１に凹凸すると共に、第１の凹凸部６１３に対して相互に嵌まり込むように形成された、第２の凹凸部６２３が設けられている。
【００５７】
具体的に、第２の凹凸部６２３は、略くし状に凹凸しており、台板６１との嵌合部を構成している。具体的に、第２の凹凸部６２３は、複数の嵌合用凹部６１３ａの各々に嵌合している複数の凸部を有している。それらの凸部は、搬送幅方向Ａ３に沿ってほぼ等ピッチで並んでおり、それぞれ、センサ本体６２２から離れる方向に突出している。
【００５８】
センサ本体６２２は、いわゆる密着型イメージセンサであって、搬送幅方向Ａ３に延びる薄板状に形成されている。センサ本体６２２は、搬送路５１に向き合うよう配置されており、識別部５を通過する紙幣Ｂの表面、又は、裏面から、その紙幣Ｂの特徴を検出するようになっている。
【００５９】
第１の凹凸部６１３と同様に、第２の凹凸部６２３には、その凹凸の先端側つまり、センサユニット６２（特にセンサ本体６２２）の反対側へ向かうにつれて、対向方向Ａ２において、搬送路５１から離れる方向に傾斜した面取部６２４が設けられている。
【００６０】
一方で、図２Ａ，４Ａ，４Ｂに示すように、第１の凹凸部６１３と第２の凹凸部６２３とは、それぞれの凹凸が互い違いに嵌り込むようになっている。これにより、図４Ａ，４Ｂに示すように、第１の凹凸部６１３と第２の凹凸部６２３とが相互に嵌合した接合部分Ｐ１には、それぞれの面取部６１４，６２４によって、対向方向Ａ２において搬送路５１から離れる方向に窪んだ掬い部６４が構成されている。
【００６１】
掬い部６４は、縦断面Ｃ１，Ｃ２を搬送幅方向Ａ３の一端側から見たときに、搬送路５１から離れる方向（この例では下方向）に向かって三角状に窪んでおり、紙幣の引っ掛かりを防止するための誘い込みとして機能している。
【００６２】
一対の検出部６，７のうち、上方に位置する検出部（以下、「上側検出部」という）７は、後述の特徴部を除き、下側検出部６と同様に構成されている。
【００６３】
つまり、上側検出部７は、図２Ａ，４Ａ，４Ｂに示すように、搬送路５１を構成する台板７１と、その台板７１に対して搬送方向Ａ１に隣り合って配置されかつ、台板７１に嵌合されたセンサユニット７２と、を有している。
【００６４】
そして、下側検出部６と同様に、台板７１とセンサユニット７２との接合部分Ｐ２には、互いに嵌合し且つ、紙幣Ｂの搬送方向Ａ１に凹凸する凹凸部７１３，７２３が設けられていると共に、各凹凸部７１３，７２３の先端部分には、対向方向Ａ２において搬送路５１から遠ざかるよう傾斜した面取部７１４，７２４が形成されている。
【００６５】
具体的に、台板７１とセンサユニット７２との接合部分Ｐ２には、台板７１に設けられ、搬送方向Ａ１に凹凸する第１の凹凸部７１３と、センサユニット７２に設けられ、前記搬送方向に凹凸すると共に、第１の凹凸部７１３に対して相互に嵌まり込むように形成された第２の凹凸部７２３と、が構成されている（例えば図４Ａ，４Ｂを参照）。
【００６６】
また、第１の凹凸部７１３には、先端側へ向かうにつれて、対向方向Ａ２において、搬送路５１から離れる方向に傾斜した面取部７１４が設けられていると共に、第２の凹凸部７２３には、先端側へ向かうにつれて、対向方向Ａ２において、搬送路５１から離れる方向に傾斜した面取部７２４が設けられている。
【００６７】
そして、図４Ａ，４Ｂに示すように、第１の凹凸部７１３と第２の凹凸部７２３とが相互に嵌合した接合部分Ｐ２には、それぞれの面取部７１４，７２４によって、対向方向Ａ２において搬送路５１から離れる方向に窪んだ掬い部７４が構成されている。
【００６８】
掬い部７４は、縦断面Ｃ１，Ｃ２を搬送幅方向Ａ３の一端側から見たときに、搬送路５１から離れる方向（この例では上方向）に向かって三角状に窪んでおり、下側検出部６における掬い部６４と同様に、紙幣の引っ掛かりを防止するための誘い込みとして機能している。
【００６９】
以下で詳述するように、上下の接合部分Ｐ１，Ｐ２は、搬送路５１を挟んで対向しないように、搬送方向Ａ１の位置が相互に異なっている。
【００７０】
具体的に、下側検出部６における接合部分Ｐ１は、下側の凹凸部６１３，６２３の凹凸と、上側の凹凸部７１３，７２３の凹凸とが搬送路５１を挟んで対向しないように（さらに詳しくは、各凹凸の凹部同士、及び、凸部同士が対向しないように）、上側検出部７における接合部分Ｐ２に対して搬送方向Ａ１にずれている。
【００７１】
詳しくは、図４Ａ，４Ｂに示すように、上側検出部７における接合部分Ｐ２は、センサユニット６２の搬送方向Ａ１中央部を挟んで略対称に配置されている。つまり、この接合部分Ｐ２は、上流側と下流側とが両方とも凸状になっていたり、又は、両方とも凹状になっていたりする。
【００７２】
その一方で、下側の２つの接合部分Ｐ１は、上側の２つの接合部分Ｐ２と同様に略対称に配置されているものの、それら２つの接合部分Ｐ１は、両方とも搬送方向Ａ１の下流側にずれている。その搬送方向Ａ１に沿ったずれの大きさＤ３は、少なくとも面取部６１４，７１４の搬送方向Ａ１に沿った寸法Ｄ２以上（Ｄ３≧Ｄ２）となっている。
【００７３】
このように、下側検出部６における接合部分Ｐ１は、上側検出部７における接合部分Ｐ２に対して、搬送方向Ａ１にずれている。そうすることで、２つの掬い部６４，７４の位置もまた、搬送方向Ａ１にずれるようになるから、２つの掬い部６４，７４は、一体的なスペースを区画することなく、それぞれが独立したスペースを区画するようになる。これにより、スペース１つあたりの容積が小さくなるから、特定の紙幣Ｂについても、ジャムの発生を抑制することが可能になる。
【００７４】
また、下側検出部６の接合部分Ｐ１は、上側検出部７の接合部分Ｐ２に対して、面取部６１４，７１４の搬送方向Ａ１に沿った寸法Ｄ２以上にずれているから、接合部分Ｐ１，Ｐ２の各々に形成される掬い部６４，７４が重ならないため、それぞれが独立したスペースを区画する上で有利になる。このことは、ジャムの発生を抑制する上で有効である。
【００７５】
ところで、従来、検出部に搬送ローラを配置する際には、その搬送ローラを受け入れるための開口部を台板に形成するようにしていた。しかし、そのような開口部を形成した場合、紙幣が、その開口部において詰まらないようにするべく、台板とセンサユニットとの間の嵌合部と同様に、開口部の縁部に面取りを施して、掬いを構成するようにしていた。
【００７６】
そこで、前述の如く、ローラ用凹部６１３ｂに搬送ローラ６３を配置するようにした。これにより、台板に開口部を形成する必要が無くなるから、検出部６の全体において、掬いの数を減らすことが可能になる。これにより、紙幣Ｂをスムースに搬送する上で有利になる。
【００７７】
−識別部の変形例−
前記実施形態では、下側検出部６における接合部分Ｐ１が、上側検出部７における接合部分Ｐ２に対して下流側にずれていたが、その構成には限られない。上側検出部７における接合部分Ｐ２を、下側検出部６における接合部分Ｐ１に対してずらしてもよい。
【００７８】
また、前記実施形態では、上下の接合部分Ｐ１，Ｐ２の位置を、搬送方向Ａ１に異ならせていたが、この構成には限られない。例えば、以下で詳述するように、上下の接合部分Ｐ１，Ｐ２の位置を、搬送幅方向Ａ１に異ならせてもよい。
【００７９】
図６〜７は、それぞれ、識別部の変形例２００５を示している。具体的に、図６は、識別部２００５を示す斜視図であり、また、図７Ａは、下側検出部２００６の変形例、及び、上側検出部２００７の変形例を一部省略した上で搬送方向Ａ１の上流側から見て示す斜視図であり、図７Ｂは、識別部２００５の縦断面Ｃ３を搬送幅方向Ａ３の一方側から見て示す図であり、図７Ｃは、識別部２００５の縦断面Ｃ４を搬送幅方向Ａ３の一方側から見て示す図である。
【００８０】
図６〜７に示すように、この変形例では、下側検出部２００６における接合部分Ｐ１の凹凸位置が、上側検出部２００７における接合部分Ｐ２の凹凸位置に対して、搬送幅方向Ａ３に沿って、凹凸のピッチの半分（具体的には、隣り合う凸同士の間隔を一列とすると、その半列分）だけずれている。
【００８１】
具体的には、図６に示すように、下側検出部２００６において、台板２０６１に嵌合したセンサユニット２０６２に対して上流側、及び、下流側に配置された接合部分Ｐ１の凹凸は、搬送方向Ａ１に沿って延びる同一ラインＬ上で、上流側の一方が凸状になっており、下流側の他方が凹状になっている。
【００８２】
その一方で、上側検出部２００７においては、詳細な図示は省略するが、センサユニット２０７２に対して上流側、及び、下流側に配置された接合部分Ｐ２の凹凸は、搬送方向Ａ１に沿って延びる同一ライン上で、上流側の一方が凹状になっていると共に、下流側の他方が凸状になっている。
【００８３】
こうすることで、下側検出部２００６に対して上側検出部２００７を対向配置したときに、下側検出部２００６における凹凸の凹部と、上側検出部２００７における凹凸の凹部とが、搬送路５１を挟んで対向しないようになる。
【００８４】
このように、下側検出部２００６における接合部分Ｐ１の凹凸位置は、上側検出部２００７における接合部分Ｐ２の凹凸位置に対して、搬送幅方向Ａ３にずれている。そうするとことで、図７Ｂ，７Ｃに示すように、２つの掬い部２０６４，２０７４の位置が、搬送方向Ａ１にずれるようになるから、２つの掬い部２０６４，２０７４は、一体的なスペースを区画することなく、それぞれが独立したスペースを区画するようになる。これにより、スペース１つあたりの容積が小さくなるから、ジャムの発生を抑制することが可能になる。
【００８５】
また、下側検出部２００６における接合部分Ｐ１の凹凸位置が、上側検出部２００７における接合部分Ｐ２の凹凸位置に対して、搬送幅方向Ａ３に沿って半列分ずれているから、２つの掬い部２０６４，２０７４が重ならないため、それぞれが独立したスペースを区画する上で有利になる。このことは、ジャムの発生を抑制する上で有効である。
【００８６】
さらに、上下の接合部分Ｐ１、Ｐ２の位置を、搬送方向Ａ１、及び搬送幅方向Ａ３の両方向に異ならせてもよい。そうすることで、一方の掬い部と、他方の掬い部とが、それぞれ独立したスペースを区画する上で有利になる。このことは、ジャムの発生を抑制する上で有効である。
【００８７】
〈オプションユニットの構成〉
従来、紙幣処理装置１における識別能力を向上するべく、識別部５に対して、前述の如きオプションユニット８Ａ，８Ｂを装着することがある。そうしたオプションユニットは、１台に限らず、図１に示すように、２台のオプションユニット８Ａ，８Ｂを直列に連結して使用する場合がある。以下、２台のオプションユニット８Ａ，８Ｂのうちの一方を「第１ユニット８Ａ」と称し、他方を「第２ユニット８Ｂ」と称する場合がある。
【００８８】
図８は、オプションユニット８Ａ，８Ｂの外観を示す斜視図である。図８に示すように、第２ユニット８Ｂは、前述の識別部５と同様に、上下一対の検出部９Ｂ，１０Ｂを備えて構成されている。２つの検出部９Ｂ，１０Ｂは、対向方向Ａ２に所定の間隔を空けて対向配置されており、その間に、ループ搬送路４１１に介設される搬送路８１Ｂが形成されている。
【００８９】
２つの検出部９Ｂ，１０Ｂは、前述の識別部５とは異なり、搬送方向Ａ１に沿う方向に延びる支軸８２Ｂを介して回転可能に連結されている（図９を参照）。この支軸８２Ｂは、検出部９Ｂ，１０Ｂにおける搬送幅方向Ａ３の一端側に設けられている。よって、検出部９Ｂ，１０Ｂは、搬送幅方向Ａ３の一端側が中心となる一方、他端側が円弧を描くように開閉する。
【００９０】
第１ユニット８Ａについても同様である。つまり、第１ユニット８Ａは、上下一対の検出部９Ａ，１０Ａを備えて構成されている。２つの検出部９Ａ，１０Ａは、対向方向Ａ２に所定の間隔を空けて対向配置されており、その間に、ループ搬送路４１１に介設される搬送路８１Ａが形成されている。２つの検出部９Ａ，１０Ａは、前述の識別部５とは異なり、搬送方向Ａ１に沿う方向に延びる支軸（図示は省略）を介して回転可能に連結されている。
【００９１】
このように構成した場合、オプションユニット８Ａ，８Ｂ間の連結部において紙幣が詰まることの無いように、台板とセンサユニットとの間の嵌合部と同様に、その連結部において掬い部を構成することが求められる。
【００９２】
そうした掬い部を構成するためには、例えば、第１ユニット８Ａから第２ユニット８Ｂに向かって突出した凹凸部と、第２ユニット８Ｂから第２ユニット８Ａに向かって突出した凹凸部とを相互に嵌り込ませると共に、それら凹凸部の先端側に、搬送路から離れる方向に傾斜した面取部を設けることが考えられる。
【００９３】
ここで、支軸８２Ｂが搬送方向Ａ１に沿う方向に延びていることを考慮すると、凹凸部同士の干渉を抑制し、ひいては、検出部９Ｂ（９Ａ），１０Ｂ（１０Ａ）の開閉動作を妨げないようにするためには、それらの凹凸部を、対向方向Ａ２に沿って薄肉にすることが考えられる。しかしながら、そのように薄肉にすると、凹凸部同士が接触したり、凹凸部に対して外力や衝撃が加わったりしたときに、凹凸部の折損を招く虞があるため、好ましくない。
【００９４】
以下に示す構成は、凹凸部を介して連結したオプションユニット８Ａ，８Ｂにおいて、それぞれの開閉動作を妨げることなく、凹凸部の折損を防止することを目的としたものである。
【００９５】
図８〜９に示すように、この構成は、対向方向Ａ２に所定の間隔を空けて対向配置されかつ、その間に搬送路を形成する一対の検出部を備え、搬送幅方向Ａ３の一端側に設けられかつ搬送方向Ａ１に沿う方向に延びる支軸まわりに開閉するよう構成されたオプションユニットを対象とするものである。
【００９６】
ここに示す例では、特に、２つのオプションユニット８Ａ，８Ｂが搬送方向Ａ１に沿って直列に連結されていて、それらオプションユニット８Ａ，８Ｂ間の連結部の構成を対象としている。この場合、第２ユニット８Ｂにおいては、２つの検出部（以下、「第２検出部」という場合がある）９Ｂ，１０Ｂが搬送路８１Ｂを挟んで上下に並んでいる。同様に、第１ユニット８Ａにおいては、２つの検出部（以下、「第１検出部」という場合がある）９Ａ，１０Ａが搬送路８１Ａを挟んで上下に並んでいる。
【００９７】
具体的に、第２ユニット８Ｂについて例示すると、第２検出部９Ｂ，１０Ｂは、双方とも、搬送幅方向Ａ３に沿って延びる直方体形状に形成されている。上方に位置する第２検出部９Ｂの下面と、下方に位置する第２検出部１０Ｂの上面とが、搬送路８１Ｂを挟んで互いに向い合うように配置されている。
【００９８】
第１ユニット８Ａもまた、同様に形成されている。よって、搬送路８１Ａ，８１Ｂを挟んだ上方位置においては、上側の第２検出部９Ｂと第１検出部９Ａとが搬送方向Ａ１に沿って隣接している一方、搬送路８１Ａ，８１Ｂを挟んだ下方位置においては、下側の第２検出部１０Ｂと第１検出部１０Ａとが、搬送方向Ａ１に沿って隣接するようになっている。図８に示すように、上側の第２検出部９Ｂ及び第１検出部９Ａは、それぞれ独立して回動するようになっている一方、下側の第２検出部１０Ｂ及び第１検出部１０Ａは、相互に固定されている。
【００９９】
第２ユニット８Ａにおいて、２つの第２検出部９Ｂ，１０Ｂには、それぞれ、第１ユニット８Ａに向かって搬送方向Ａ１に凹凸する第２の凹凸部９３Ｂ，１０３Ｂが設けられている。
【０１００】
同様に、第１ユニット８Ａにおいて、２つの第１検出部９Ａ，１０Ａには、それぞれ、第２ユニット８Ｂに向かって搬送方向Ａ１に凹凸しかつ、第２の凹凸部９３Ｂ，１０３Ｂの各々に対して相互に嵌り込むように形成された第１の凹凸部９３Ａ，１０３Ａが設けられている。よって、搬送路８１Ａ，８１Ｂを挟んだ上方位置においては、第１の凹凸部９３Ａと第２の凹凸部９３Ｂとが相互に嵌り込む一方、その下方位置においては、第１の凹凸部１０３Ａと第２の凹凸部１０３Ｂとが相互に嵌り込むようになっている。
【０１０１】
そして、第２の凹凸部９３Ｂ，１０３Ｂのうちの一方（ここに示す例では、上側の第２の凹凸部９３Ｂ）は、支軸８２Ｂを中心とした同心円（図９において、一点鎖線Ｒを参照）に沿って延びている。
【０１０２】
具体的に、この第２の凹凸部９３Ｂは、図９に示すように、第２検出部９Ｂの側面のうち、第１検出部９Ａに面する一側面９２Ｂに沿って延びる複数の凸条９４Ｂ，９４Ｂ，…，９４Ｂによって構成されている。複数の凸条９４Ｂ，９４Ｂ，…，９４Ｂは、それぞれ、支軸８２Ｂを中心とした円弧状に延びている。
【０１０３】
図９において二点鎖線で示すように、第２の凹凸部９３Ｂに嵌り込むよう形成された第１の凹凸部９３Ａもまた、その支軸を中心とした同心円に沿って延びている。これにより、第１検出部９Ａ、及び、第２検出部９Ｂは、それぞれ、第１の凹凸部９３Ａと第２の凹凸部９３Ｂとが嵌り込んだ状態を保持しつつ、相互に回動可能となる。
【０１０４】
以上説明したように、前記の構成によれば、第２の凹凸部９３Ｂを側面９２Ｂに沿って延ばしたから、そのように延ばした分だけ、第２の凹凸部９３Ｂの強度が確保される。そのことで、例えば、第２の凹凸部９３Ｂと第１の凹凸部９３Ａとが接触したときに、第２の凹凸部９３Ｂの折損を防止することが可能になる。
【０１０５】
また、第２の凹凸部９３Ｂは、支軸８２Ｂを中心とした同心円に沿って延びているから、検出部９Ｂが開閉するときに、第１の凹凸部９３Ａに対して嵌り込んだ状態を保持することが可能になる。よって、第２検出部９Ｂの開閉動作を妨げることもない。
【０１０６】
こうして、第２ユニット８Ｂにおいて、検出部９Ｂの開閉動作を妨げることなく、第２の凹凸部９３Ｂの折損を防止することが可能になる。
【０１０７】
同様に、第１ユニット８Ｂにおいても、検出部９Ａの開閉動作を妨げることなく、第１の凹凸部９３Ａの折損を防止することが可能になる。
【０１０８】
−オプションユニットの変形例−
前記の説明では、オプションユニット８Ａ，８Ｂ同士の連結部に係る構成について説明したが、その構成には限られない。例えば、オプションユニット８Ａと識別部との間の連結部において、前述の如き構成を適用してもよい。その場合、例えば図８に示すように、第１ユニット８Ａの検出部９Ａから識別部５へ向かって凹凸する凹凸部９５Ａを、支軸を中心とした同心円状に形成すればよい。
【０１０９】
また、前記の説明では、第２の凹凸部９３Ｂは、同心円に沿った円弧状に延びていたが、その構成には限られない。例えば、支軸８２Ｂを中心とした同心円に接する直線を組み合わせて構成してもよい。また、支軸８２Ｂから離れるにつれて曲率が小さくなることを考慮すると、支軸８２Ｂ付近の凹凸のみを同心円に沿って延ばしてもよい。
【０１１０】
また、第２の凹凸部９３Ｂを同心円に沿って延ばす寸法は、適宜、変更可能である。
【０１１１】
図１０に、第２の凹凸部の変形例１０９３Ｂを示す。図１０に示す例では、第２の凹凸部１０９３Ｂが、図９に係る凸条９４Ｂよりも長く延びた凸条１０９４Ｂによって構成されている。このように構成することで、第２の凹凸部１０９３Ｂの強度を、より確実に確保することが可能になる。
【符号の説明】
【０１１２】
１        紙幣処理装置（紙葉類処理装置）
５        識別部（紙葉類識別装置）
５１      搬送路
６        下側検出部
６１      台板
６１３    第１の凹凸部（凹凸部）
６１３ａ  嵌合用凹部
６１３ｂ  ローラ用凹部
６１４    面取部
６２      センサユニット
６２３    第２の凹凸部（凹凸部）
６２４    面取部
６３      搬送ローラ
Ｐ１      接合部分
７        上側検出部
７１      台板
７１３    第１の凹凸部（凹凸部）
７１４    面取部
７２      センサユニット
Ｐ２      接合部分
Ａ１      搬送方向
Ａ２      対向方向
Ａ３      搬送幅方向
Ｂ        紙幣（紙葉類）
Ｄ１      間隔
Ｄ２      寸法（面取部の搬送方向に沿った寸法）
【図１】
2018120356.tif 000003
【図２Ａ】
2018120356.tif 000004
【図２Ｂ】
2018120356.tif 000005
【図３】
2018120356.tif 000006
【図４Ａ】
2018120356.tif 000007
【図４Ｂ】
2018120356.tif 000008
【図５】
2018120356.tif 000009
【図６】
2018120356.tif 000010
【図７Ａ】
2018120356.tif 000011
【図７Ｂ】
2018120356.tif 000012
【図７Ｃ】
2018120356.tif 000013
【図８】
2018120356.tif 000014
【図９】
2018120356.tif 000015
【図１０】
2018120356.tif 000016